(57)【要約】      （修正有）【課題】ユーザーにとって可能な限り明瞭な方法で複数の操作領域を表示部に表示するための可能性を創造する。【解決手段】タッチスクリーンを有するかまたはタッチパッドを有し、メニュー構造を表示するための表示部４を含む多機能操作装置において、メニュー構造内において、タッチすることで選択可能な領域２が定義される。領域２は定義された機能グループまたは機能と関連する。メニュー構造は、複数の階層を有し、メニュー構造内の領域２上で少なくとも２本の指でのズーミングイン動作によって、メニュー構造の他の階層が選択でき、かつ、ズーミングアウト動作によって前の階層に達することができる。【選択図】図２
2017016664.tif 000002
【特許請求の範囲】
【請求項１】
タッチスクリーンまたはタッチパッドを有しメニュー構造を表示する表示部（４）を備え、タッチすることにより選択可能である領域（２）が前記メニュー構造内に定義され、前記領域（２）は定義された機能的グループまたは機能と関連している、多機能操作装置において、
前記メニュー構造は、複数の階層（３）を有し、
前記メニュー構造内の領域（２）上での少なくとも２本の指によるズーミングイン動作（８）によって前記メニュー構造の別の階層（３）を選択可能であり、ズーミングアウト動作（６）によって前の階層（１、３）に達することが可能である、多機能操作装置。
【請求項２】
第１のメニュー構造が領域（２）を有する主階層（１）を形成し、この領域（２）が上位の機能エリアまたは機能を表しており、他の階層（３−１）が選択的なまたは特定の機能エリアまたは機能を提供する副階層である、請求項１に記載の操作装置。
【請求項３】
前記主階層（１）は、ユーザーの指で実行されるクロージングジェスチャー（７）によってまたは機能領域の選択によって任意の階層（３、３−１）から選択可能である、請求項２に記載の操作装置。
【請求項４】
階層（３）内の前記メニュー構造の領域（２）は、前記表示部（４）の表面上においてユーザーが指を動かすことによりシフトさせることが可能である、請求項１〜３に記載のいずれか１項に記載の操作装置。
【請求項５】
タッチスクリーンまたはタッチパッドを有しメニュー構造を表示する表示部（４）を備えた多機能操作装置の操作方法であって、
タッチすることにより選択される領域（２）が前記メニュー構造内に定義され、定義された機能グループまたは機能が前記領域（２）と関連しており、前記メニュー構造は複数の階層（３）を備え、
前記メニュー構造内の領域（２）上での少なくとも２本の指によるズーミングイン動作（８）によって前記メニュー構造の別の階層（３）を開き、ズーミングアウト動作（６）によって前記階層（３）の前記メニュー構造を閉じ且つ前の階層（１、３）に達する、多機能操作装置の操作方法。
【請求項６】
ユーザーが指で実行する定義されたクロージングジェスチャー（７）によって、またはユーザーによる特定機能領域の操作によって、前記メニュー構造を有する任意の下位階層（３）から前記メニュー構造を有する主階層（１）への切り替えが行われることを特徴とする、請求項５に記載の方法。
【請求項７】
車両の電子機器を操作するため及び車両パラメーターを表示するための、請求項１〜４のいずれか１項に記載の多機能操作装置の使用または請求項５又は６に記載の方法の使用。
【請求項８】
前記電子機器が、エアコン装置、娯楽情報システム、ドライバーアシスタンスシステム、通信システム、及び照明システムを含むグループから選択可能である、請求項７に記載の使用。
【請求項９】
前記車両パラメーターが、車両の速度、エンジン温度、エンジンの回転速度、娯楽情報装置の設定、オイルレベル、及び走行距離計の値を含むグループから選択可能である、請求項７に記載の使用。
【発明の詳細な説明】
【技術分野】
【０００１】
本発明は、タッチスクリーンまたはタッチパッドを有しメニュー構造を表示する表示部を備える多機能操作装置に関する。メニュー構造内に領域が定義されており、タッチすることで選択可能であり、領域は定義された機能グループまたは機能と関連する。
【０００２】
本発明はさらに、タッチスクリーンまたはタッチパッドを有しメニュー構造を表示する表示部を備える多機能操作装置の操作方法に関する。メニュー構造内に領域が定義されており、タッチすることで選択可能であり、定義された機能グループまたは機能は領域と関連し、及びメニュー構造は複数の階層を備える。
【０００３】
本発明はさらに、多機能操作装置及び方法の使用に関する。
【発明の概要】
【発明が解決しようとする課題】
【０００４】
グラフィカルユーザーインターフェース（ＧＵＩ）は、家庭用電化製品分野及び自動車分野の両方において使用される。操作オプションの増加によって、各操作機能をできるだけ明瞭に表示部に表示する必要性もまた増加している。特に、車両において、そのユーザーインターフェース（ＵＩ）はドライバー／ユーザーに例えば、車両の速度、エンジンの回転速度、またはエンジンの温度といった（車両の）パラメーターを通知するために、かつ同時にドライバー／ユーザーがラジオ、ＣＤプレーヤー、またはナビゲーションシステムといった車両の装置を操作できるよう使用され、ドライバーが車両の実際の運転に支障をきたさないよう、明瞭に配置された操作領域が必要である。
【０００５】
従って本発明の目的は、ユーザーにとって可能な限り明瞭な方法で複数の操作領域を表示部に表示するための可能性を創造することにある。
【課題を解決するための手段】
【０００６】
本発明の目的は、冒頭で記述された種類の多機能操作装置によって達成され、メニュー構造は複数の階層を有し、かつメニュー構造内の領域上で少なくとも２本の指によるズーミングイン動作によって、メニュー構造の別の階層を選択でき、かつズーミングアウト動作によって、前の階層に再度戻ることができる。異なる階層でのそういったメニュー構造は、ユーザーに関連する各領域のみが表示されるという利点を持つ。
【０００７】
第１のメニュー構造は好ましくは領域と共に主階層を形成し、領域は上位の機能エリアまたは機能を表し、かつ別の階層はより多い選択肢または特定の機能エリアまたは機能を提供する副階層を表す。
【０００８】
メニュー構造の領域は、操作領域として、または情報領域として設計される。操作領域によって、ユーザーは操作装置に接続された装置を操作できる。情報領域は、ユーザーへの情報を表示するために用いられる。しかしながら、他の実施形態では、領域は情報領域及び操作領域の両方として設計されることがまた考えられる。
【０００９】
そういった多機能操作装置は、複雑なシステムと直感的な相互作用が可能であるといったような様々な利点がある。操作装置のメニュー構造（ＨＭＩ  ＭＡＰ）は、際限なく拡張可能であり、よってアプリケーション（ａｐｐｓ）及び機能性をいくつでも追加することを可能にする。特にあらゆる物のインターネット化の観点において、非常に大きな利点をもたらす。さらに、複数の個別装置を１つの装置内に組み込むことができ、導入の際スペースに関する節約につながるので、操作装置は環境にやさしくかつ経済的に有利である。
【００１０】
本明細書の好適な実施形態では、主階層は、ユーザーの指による規定のクロージングジェスチャーまたは特定の機能領域を選択することで任意の副階層から選択できる。これは、ユーザーが最終的にメニュー構造内の主階層（最上位の階層／概要階層）に到達するために、ズーミングアウト動作によってある階層からそれぞれ次の上位階層へ行く必要がないという利点があり、むしろユーザーは例えば５本の指でタッチすることで、または特定の領域をタッチすることで、といったような所定のジェスチャーで主階層に直接達してもよい。
【００１１】
階層内のメニュー構造の領域は、好ましくは表示部の表面上でユーザーが指を動かすことで替える又はシフトさせることができる。結果として、メニュー構造のある階層におけるメニュー構造の領域のいくつかのみを表示することが可能となり、その結果、領域が操作装置のタッチスクリーンでの要求スペースと同じ広さで表示できる。メニュー構造の同じ階層における異なる領域に切り替えるために領域を押しやると、その結果、別の領域が現れるかまたは中央に移動してくる。このプロセスでは、領域は任意の方向にシフト可能かまたは上方／下方（縦に）または左／右（横に）へといったような特定の方向へ制限される。
【００１２】
さらに、本発明の目的は、冒頭で記述された種類の方法によって達成され、メニュー構造内の領域上で少なくとも２本の指によるズーミングイン動作によって、メニュー構造の他の階層を開き、かつ、ズーミングアウト動作によってこの階層のメニュー構造を閉じ、かつ前の階層に再度戻る。
【００１３】
メニュー構造はテーブル形式に配置または表示部上で分配された複数の領域からなる。領域は情報を表示でき、または追加装置のための操作構成要素として使用できる。
【００１４】
異なる複数の階層の配置は、ユーザーにとって最も重要である領域または上位機能を表す領域のみがユーザーに表示されるという利点がある。この方法では、ユーザーに関連する領域の選択のみがユーザーに表示され、結果としてスクリーン表示は簡潔であり続ける。
【００１５】
他の操作領域または情報領域を呼び出すために、ユーザーは関心のある領域を、ズーミングイン動作によって選択し、いくつかの領域を同様に含むメニュー構造の別の階層へ達する。
【００１６】
ズーミングイン動作は、タッチスクリーンの選択された領域上で少なくとも２本の指（例えば親指と人差し指）の指先が互いから離して動かされる、いわゆるピンチジェスチャーである。ズーミングアウト動作において、指先は互いに向かって動かされる。
【００１７】
本発明の好適な実施形態では、ユーザーが自身の指で行う規定のクロージングジェスチャーによって、またはユーザーによる特定機能の操作によって、切り替えがメニュー構造の任意の下位階層からメニュー構造の最上位階層へと行われ、その結果として個々の階層を通じたさらに素早いナビゲーションが可能となる。
【００１８】
さらに、本発明の目的は、多機能操作装置及び車両、特に自動車の電子機器を操作する方法及び車両パラメーターを表示する方法の使用によって達成される。特に自動車といった車両を運転する時、ドライバーが追加装置の操作によって、または車両パラメーターについての情報を読むことによって、運転に支障をきたすことがなければ有益である。
【００１９】
好ましくは、電子機器はエアコン装置、ラジオ、ＣＤプレーヤーまたはビデオプレーヤーといった娯楽情報システム、ナビゲーションシステム、経線誘導システムまたは車線保持システムといったドライバーアシスタンスシステム、携帯電話といった通信システム、及び照明システムを含むグループから選択できる。
【００２０】
好ましくは、車両パラメーターは、車両速度、エンジン温度、エンジンの回転速度、ラジオ／ＣＤプレーヤー／ビデオプレーヤー装置といった娯楽情報装置の設定、ラジオで設定されたラジオ局、オイルレベル、走行距離計の値、及びドライバーに関する他の情報を含むグループから選択できる。
【００２１】
本発明の設計における追加的詳細、機能及び利点は関連図を参照して実施形態例の以下の記述に起因する。
【図面の簡単な説明】
【００２２】
【図１】３階層でのメニュー構造の図表示である。
【図２】異なる領域でのメニュー構造を有するユーザーインターフェース（ＵＩ）の例示的表示である。
【図３】主階層及び選択されたエンターテイメントエリアの図表示である。
【図４】下位階層及びズーミングインによって選択された領域の図表示である。
【図５】メニュー構造の領域及びズーミングアウトによって選択された上位階層の図表示である。
【図６】下位階層のメニュー構造の領域及び完了ハンドジェスチャーによって選択された主階層の図表示である。
【図７】ハンドジェスチャー及びその機能の図表示である。
【発明を実施するための形態】
【００２３】
多機能操作装置は、ユーザーがシステムと相互作用することによるＧＵＩとも称されるグラフィカルユーザーインターフェースを有する全ての領域において使用される。主な領域は、自動車分野及び家庭用電化製品分野である。
【００２４】
多機能操作装置はジェスチャーで操作できるグラフィカルユーザーインターフェースを提供する。「ピンチジェスチャー」とも称される指先でのズーミングイン動作（ズームイン）及びズーミングアウト動作（ズームアウト）を使用することで、グラフィカルユーザーインターフェースの内容を決定でき、かつ変更できる。
【００２５】
多機能操作装置において、表示されたメニュー構造の詳細度はズームジェスチャーによって制御される。利用できるユーザーインターフェースが複雑であるため、ユーザーはユーザーインターフェースを使用するために細部にわたって頻繁に見ることになる。ズームジェスチャーの実装により、各ユーザーはいつでも、及びユーザーインターフェースのどの場所でも、ズーミングアウト動作（ズームアウトジェスチャー）で上位ビューまで戻ることができ、よってより容易にたどり着くことができる。
【００２６】
ソフトウェア側では、以下では領域とも称される各機能エリアは、追加または削除可能なモジュールであるという意味として理解できる。例えば、携帯電話といった携帯機器が例えば多機能操作装置に接続する場合、こういったケースになり得る。よって、携帯機器が多機能操作装置に接続する時、利用可能な機能、特にズームレベルに関しては操作装置の表示部に表示される。新たな娯楽情報プラットフォームのために、こういった方法で設計されたユーザーインターフェースは、スタンダード相互作用モードを用いた柔軟な拡張の計り知れない利点を有する。
【００２７】
携帯機器を多機能操作装置に接続できるよう、操作装置はそういった携帯機器の接続のための対応するインターフェースを有する。しかしながら、携帯機器はまた、ＷＬＡＮ接続を介して、またはブルートゥース（登録商標）接続を介して操作装置に接続できる。
【００２８】
多機能操作装置では、ズームイン及びズームアウトでの直感的な操作が可能なので、クリックによる個別のメニュー構造を通じたナビゲーションを実質的に省略することができ、結果として複数の階層にわたるメニュー構造を介しての操作が可能となる。
【００２９】
そういった３次元メニュー構造は図１で図式的に表される。メニュー構造は、図２〜図６に示されるように領域２が表示される主階層１からなる。所望の領域２上においてピンチジェスチャーでズームすることで、下位階層３−１に到達し、領域２のメニュー構造が同じく表示される。例えば自動車のＣＤプレーヤーで特定の歌曲を選択するために、ユーザーは最初に主階層１上で音楽を表示する領域２を探し、そして音楽を表示する領域２へのズーミングイン動作（ズームイン）により、下位階層３−１上へズームする。下位階層３．１は次に異なるアルバム２−８または異なる演奏者を表す選択的な複数の領域２を含む。ある演奏者を表す領域２上での別のズーミングイン動作によって、ユーザーは、例えばメニュー構造を有する別の下位階層３−１に達し、そのメニュー構造内には、その演奏者の各音楽タイトルの複数の領域２が表示される。各音楽タイトルの領域２のうちの１つをクリックすることで、対応する音楽が再生される。
【００３０】
メニュー構造は任意の数の階層３にわたって拡張できる。
【００３１】
異なる音楽タイトルを選択するために、ユーザーはズーミングアウト動作（ズームアウト）によって次の上位階層３へ戻ることができる。異なる機器を選択、使用及び操作するために、ユーザーはクロージングジェスチャー７（例えば、図７に示されるような、タッチスクリーン上またはタッチパッド上に全ての指先を置いて、ズーミングアウト動作することによる）によって主階層１へ戻ることができる。
【００３２】
図２は表示部４上の異なる複数の領域２を持つメニュー構造の考えられる表示形式を示す。ここでの各領域２は、車両情報２−１、エンターテイメント２−２、通信２−３、お気に入り２−４、情報２−５、及びソーシャルネットワーク２−６を表すことができる。図２では、追加の領域２を表示するために、メニュー構造は、例えば、タッチスクリーンまたはタッチパッドをスワイプすることで回転可能な球体（地球）として表される。
【００３３】
図３では、メニュー構造の他の実施形態が図式的に表され、主階層１は図２のような球体（地球）としてではなく、平面及び２次元として設計される。領域２は、領域２の機能を示すが、追加情報も含んでよい。また、車両情報２−１を含む領域２は、例えばガソリン消費量を示してもよく、エンターテイメント２−２用の領域２は現在再生中の音楽タイトルについての情報を追加的に表示してもよい。
【００３４】
図７に従うズーミングイン動作８により、または主階層１の領域２上をタッチ／クリック５することで、ユーザーは上位領域２に関する詳細な情報を含む下位階層３−１に達する。よって、例えば、画像エンターテイメント２−２の領域２をズームすることで、ユーザーは画像２−７、アルバム２−８、ラジオ２−９、選択されたラジオ局２−１０、映画２−１１、及びテレビ２−１２を含む下位階層３−１へ達する。領域は、領域２の最も重要な内容を動的に示してもよく、または静的にそれらの機能のみを表示してもよい。
【００３５】
別のズームジェスチャーにより、メニュー構造、したがって領域２は図４に示されるように拡大できる。領域２を拡大することで追加情報を領域２に表示できる。例えば、ラジオ２−９用の領域２は、ラジオ局、現在の演奏者、及び音楽タイトルに関する情報を追加的に表示でき、映画２−１１の領域２は映画の時間及びタイトルといった映画に関する情報を表示でき、テレビ２−１２の領域２は番組に関する情報並びに番組の縮小表示をも同様に表示できる。
【００３６】
ズーミングアウト動作６によって、例えばラジオ２−９の領域２から出て、ユーザーは図５に表されるような次の上位階層３−１へ戻る。
【００３７】
しかし図６に示されるように、例えばタッチスクリーンまたはタッチパッドを全ての指先でタッチし、ズーミングアウト動作６することによるクロージングジェスチャー７によって主階層１に直接戻ることもまた可能である。
【００３８】
ズームレベルの詳細度に応じて、特定の情報のみが各アプリケーションのために表示される。よって、特定エリアの他の周囲のいわゆる「軌道」は省略される。代わりに、全てのエリアは（ズーム）階層３内のメニュー構造の切り替え又はシフトを介してアクセス可能である。さらに、多機能操作装置はアプリケーションの内外をナビゲートするための異なるジェスチャーを提供する。ズームすること、動かすこと、またはクリックすることといったようなアプリケーション外のナビゲーション構成要素は、複数の指でのジェスチャーによって実行される。一方で、２本指での階層３内のズームや３本指でアプリケーションの外をナビゲーションする時とは別に、ナビゲーション及びアプリケーションとの相互作用は一本指ジェスチャーで実行される。よって、いつでも、及びユーザーインターフェースのどの場所でも、３本指ジェスチャーをさらに用いてズームアウトすることもまた可能である。５本指の形式でのクロージングジェスチャー７で、ユーザーは最上位階層、すなわち主階層１に達する。
【００３９】
図７では、多機能操作装置の階層３間及び各領域２をナビゲートするのに適したナビゲーションジェスチャーの形式でのハンドジェスチャーの様々な図表示が示される。
【００４０】
図７ａは、２つの広げられた指で実行されるジェスチャーの図表示を示し、階層３内の複数の領域２を切り替え又はシフトするため、タッチスクリーン上またはタッチパッド上においてスワイピング動作が指先で実行される。このジェスチャーにより、メニュー構造の複数の領域２を階層３内で垂直的及び水平的に切り替え又はシフトさせることができる。
【００４１】
図７ｂは、左側においてズーミングイン動作８を示しており、例えば親指と人差し指といった２本の指は互いから離れて動かされる。図７ｂの右側に示されるクリックジェスチャー５と全く同じようにズーミングイン動作８のジェスチャーは、次の下位階層３−１への切り替えを可能にする。
【００４２】
図７ｃはズーミングアウト動作６の図表示を示し、例えば親指と人差し指といった２本の指の指先は、タッチスクリーン上またはタッチパッド上で互いに向かって動かされる。ズーミングアウト動作６のジェスチャーは、下位階層３−１から次の上位階層３へ達するために用いられる。
【００４３】
図７ｄはクロージングジェスチャー７の図表示を示し、全ての手の指先がタッチスクリーン上またはタッチパッド上に置かれ、例えば親指と人差し指といった２本の指は互いに向かって動かされる。クロージングジェスチャー７は、任意の下位階層３−１から主階層１へ達するために用いられる。
【００４４】
メニュー構造内のナビゲーションのために他のジェスチャーもまた用いられることがわかる。例えば、３本指ジェスチャーによって、３本の指先が互いに向かって、または互いから離れて動かされ、アプリケーション外または領域２外のメニュー構造は拡大または縮小できる。
【符号の説明】
【００４５】
１        主階層、階層
２        領域
２−１    車両情報
２−２    エンターテイメント
２−３    通信
２−４    お気に入り
２−５    インフォメーション
２−６    ソーシャルネットワーク
２−７    画像
２−８    アルバム
２−９    ラジオ
２−１０  選択したラジオ局 
２−１１  映画
２−１２  テレビ
３        階層
３−１    下位階層
４        表示部
５        クリックの表示
６        ズーミングアウト動作（ズームアウト）の表示
７        クロージングジェスチャーの表示
８        ズーミングイン動作（ズームイン）の表示
【図１】
2017016664.tif 000003
【図２】
2017016664.tif 000004
【図３】
2017016664.tif 000005
【図４】
2017016664.tif 000006
【図５】
2017016664.tif 000007
【図６】
2017016664.tif 000008
【図７】
2017016664.tif 000009